(57)【要約】 【課題】  盗難、いたずらの発生を簡単な構成で確実に排除できる電子機器用情報信号伝送システム及びその方法を提供することを目的とする。【解決手段】  親機２と対になり所定の箇所に設置された子機３とで情報信号の伝送を行なう電子機器用情報信号伝送システムにおいて、情報信号に登録コードを付して子機３に送信データを送信する親機２に設けた親機側送信回路２３と、送信データを受信する子機３に設けた子機側受信回路３３と、子機３が所定の設置箇所から離脱されたことを検知する離脱検知部３８と、子機３側に設けられ予め前記登録コードを記憶する記憶回路３６と、送信された登録コードと記憶回路３６に記憶された登録コードとの照合がなされて一致のときにのみ前記情報信号を受信して復調可能に設定し、前記離脱の検知出力を得た時には記憶回路３６からの登録コードの読み出し及び記憶回路３６への登録コードの書き込みを禁止する処理回路３７とを備えていることを特徴とする。【選択図】    図３
2006245848.tif 000002
【特許請求の範囲】
【請求項１】
親機と対になり所定の箇所に設置された子機とが互いに情報信号の伝送を行なう送受信機能を有する電子機器用情報信号伝送システムにおいて、
伝送する情報信号に登録コードを付して前記子機に対し送信データとして送信する前記親機に設けた親機側送信手段と、
前記親機側送信手段から送信された前記送信データを受信する前記子機に設けた子機側受信手段と、
前記子機から情報信号を送信データとして前記親機に対して送信する子機側送信手段と、
前記子機側送信手段から送信された送信データを受信する前記親機に設けた親機側受信手段と、
前記子機が所定の設置箇所から離脱されたことを検知する離脱検知手段と、
前記子機側受信手段側に設けられ、予め前記登録コードを記憶する記憶手段と、
前記子機側受信手段側に設けられ、前記親機側送信手段から送信された登録コードと前記記憶手段に記憶された登録コードとの照合がなされて一致のときにのみ前記送信された情報信号を受信して復調可能に設定し、前記離脱検知手段により離脱の検知出力を得た時には該記憶手段からの登録コードの読み出し及び該記憶手段への登録コードの書き込みを禁止する処理を行なう処理手段とを備えていることを特徴とする電子機器用情報信号伝送システム。
【請求項２】
親機と対になり所定箇所に設置された子機とが互いに情報信号の伝送を行なう送受信機能を有する電子機器用情報信号伝送方法において、
前記親機から前記子機に伝送する情報信号に登録コードを付して送信し、
前記子機によって受信された前記登録コードを予め記憶回路に記憶されている登録コードとの照合を処理回路によって行ない、照合の結果で一致が得られたときに前記情報信号を受信して復調し、
前記子機が所定の設置箇所から離脱されたことを検知する離脱検知手段により検知して前記処理回路による前記記憶回路からの登録コードの読み出し及び該記憶回路への登録コードの書き込みを禁止することを特徴とする電子機器用情報信号伝送方法。
【発明の詳細な説明】
【技術分野】
【０００１】
本発明は、親機と対になり所定の箇所に設置された子機とが互いに情報信号の伝送を行なう、例えば子機が玄関、門柱等に設置され家屋内の親機との間で情報の送受信を行なうインターホンのような送受信機能を有する電子機器用情報信号伝送システム及びその方法に関するものである。
【背景技術】
【０００２】
従来、この種のシステムは比較的自由に移動できる子機が盗難されるという問題があり、この対策として種々の技術が提案されている。例えば、従来技術として下記の特許文献１で示すものが開示されている。これは、一台の携帯電話を親機とし他の複数の携帯機器を紛失防止したい子機として登録したものである。そして、親機である携帯電話は、登録された各子機に対して定期的に呼び出しを行い、子機はその呼び出しに対して応答するようになっている。子機が呼び出し応答の通信可能な範囲を逸脱するとエラーが発生するので、このエラーでもって子機が紛失したこと、盗難にあったことを検知するようにしたものである。また、紛失された子機は拾得者等に使用されないようにその機能を停止し、予め指定されたパスワードを入力しない限り使用できないようにできることを示唆している。
【０００３】
また、他の従来技術として下記の特許文献２に示すものが提案されている。これは、携帯電話に対して中継局側から遠隔操作により、操作不能モード、読出書込不能モードに設定することができるようになっている。操作不能モードによれば、携帯電話は第三者によって操作されることを防止できる。また、読出書込不能モードによれば、携帯電話は第三者によって格納されている重要な情報を読取られたり、なりすましによる被害を防止することができる。この操作不能モード、読出書込不能モードは中継局側から遠隔操作により設定を解除できる。
【特許文献１】特開２００１−２３７９５０号公報（段落〔００２４〕〜段落〔００３２〕、段落〔００５６〕）
【特許文献２】特開２００３−２２９８１２号公報（段落〔００６１〕〜段落〔００６５〕）、段落〔００７３〕〜段落〔００７７〕、図１３）
【発明の開示】
【発明が解決しようとする課題】
【０００４】
しかしながら、上記特許文献１で示す従来技術にあっては、子機に相当する携帯機器が第三者により無断で使用されないようにすることについては、その可能性を示唆するだけに止まり、その技術を何ら具体的に開示したものでない。また、携帯電話がパスワードを入力して再び使用できることについては、同じく、その可能性を示唆するだけに止まり、その技術を何ら具体的に開示したものでない。
【０００５】
また、上記特許文献２で示す従来技術にあっては、子機に相当する携帯電話を操作不能モード、読出書込不能モードに設定することについては、中継局を介し遠隔操作によって行なっている。そのため、盗難、いたずら等のようにユーザにとって予知できない事故に対しては、予め設定をしておかないと防止できない。従って、ユーザは設定を忘れないように注意する必要があり、また設定について誤操作を生じないようにしなければならならなかった。更に、携帯電話が所定の範囲内にあるか否かを判別するために、中継局から相互に電波のやり取りを行なうための装置を必要とするので、その構成が複雑になりコスト的にも不利であるという問題点があった。
【０００６】
そこで、本発明は、盗難、いたずらの発生を簡単な構成で確実に排除できるようにした、親機と対になり所定箇所に設置された子機とが互いに情報信号の伝送を行なう送受信機能を有する電子機器用情報信号伝送システム及びその方法を提供することを目的とする。
【課題を解決するための手段】
【０００７】
前記課題を解決するために、本願の請求項１に係る発明は、親機と対になり所定の箇所に設置された子機とが互いに情報信号の伝送を行なう送受信機能を有する電子機器用情報信号伝送システムにおいて、
伝送する情報信号に登録コードを付して前記子機に対し送信データとして送信する前記親機に設けた親機側送信手段と、
前記親機側送信手段から送信された前記送信データを受信する前記子機に設けた子機側受信手段と、
前記子機から情報信号を送信データとして前記親機に対して送信する子機側送信手段と、
前記子機側送信手段から送信された送信データを受信する前記親機に設けた親機側受信手段と、
前記子機が所定の設置箇所から離脱されたことを検知する離脱検知手段と、
前記子機側受信手段側に設けられ、予め前記登録コードを記憶する記憶手段と、
前記子機側受信手段側に設けられ、前記親機側送信手段から送信された登録コードと前記記憶手段に記憶された登録コードとの照合がなされて一致のときにのみ前記送信された情報信号を受信して復調可能に設定し、前記離脱検知手段により離脱の検知出力を得た時には該記憶手段からの登録コードの読み出し及び該記憶手段への登録コードの書き込みを禁止する処理を行なう処理回路とを備えていることを特徴とする。
【０００８】
また、本願の請求項２に係る発明は、親機と対になり所定の箇所に設置された子機とが互いに情報信号の伝送を行なう送受信機能を有する電子機器用情報信号伝送方法において、
前記親機から前記子機に伝送する情報信号に登録コードを付して送信し（例えば、ステップＳ３）、
前記子機によって受信された前記登録コードを予め記憶回路に記憶されている登録コードとの照合を処理回路によって行ない、照合の結果で一致が得られたときに前記情報信号を受信して復調し（例えば、ステップＳ５、ステップＳ６）、
前記子機が所定の設置箇所から離脱されたことを検知する離脱検知手段により検知して前記処理回路による前記記憶回路からの登録コードの読み出し及び該記憶回路への登録コードの書き込みを禁止すること（例えば、ステップＳ９、ステップＳ１０）を特徴とする。
【発明の効果】
【０００９】
本発明は上述のような構成をとることにより、本願の請求項1に係る電子機器用情報信号伝送システムにおいては、前記親機から子機へと情報信号の伝送が前記登録コードの照合を行なって一致したときに前記子機側受信手段を受信可能にしている。一方、前記子機が設置箇所から離脱されると離脱検知手段によって離脱されたことを検知する。そして、前記子機側受信手段に設けた前記処理回路は記憶回路における照合のための登録コードの読み出し書き込みが不可能にセットされるため、以下の効果を有する。
【００１０】
第一に、前記子機は設置箇所から盗難、いたずら等により持ち去られ、第三者による異なる登録コードで照合をすることができないことは勿論、新たな登録コードを書き込むことも出来ない。従って、第三者による子機としての使用が不可能となって盗難等の防止を確実に図ることができる。
【００１１】
第二に、上述の防止策は子機側での設定により達成するので、前記親機は特に新規な構成を設けたり、特別な操作を行なう必要がないため、コスト的に有利であり、取り扱いもめんどうでない。
【００１２】
第三に、前記子機が設置箇所から離脱したことは、前記離脱検知手段を設けるだけでよいため構成が簡単である。
【００１３】
本願の請求項２に係る電子機器用情報信号伝送方法においては、前記親機から子機へと情報信号の伝送が前記登録コードの照合を行なって一致したときに前記子機側で受信可能にしている。一方、前記子機が設置箇所から離脱されると離脱検知手段によって離脱されたことを検知する。そして、前記処理回路は記憶回路における照合のための登録コードの読み出し書き込みが不可能にセットされるため、以下の効果を有する。
【００１４】
第一に、前記子機は設置箇所から盗難、いたずら等により持ち去られ、第三者による異なる登録コードで照合をすることができないことは勿論、新たな登録コードを書き込むことも出来ない。従って、第三者による子機としての使用が不可能となって盗難等の防止を確実に図ることができる。
【００１５】
第二に、上述の防止策は子機側での設定により達成するので、前記親機は特に新規な構成を設けたり、特別な操作を行なう必要がないため、コスト的に有利であり、取り扱いもめんどうでない。
【００１６】
第三に、上述した防止動作は前記子機が設置箇所から離脱したことを前記離脱検知手段によって検知する簡単な方法で確実にできる。
【発明を実施するための最良の形態】
【００１７】
本発明を実施するための最良の形態としては、以下に説明する実施例である。
【実施例】
【００１８】
本発明の実施例を図１〜図５によって説明する。図１は本発明の実施例における電子機器用情報信号伝送システムをインターホンシステムに適用した場合を示す説明図、図２は図１における子機の設置状態を示す説明図、図３は図１におけるインターホンシステムの詳しい構成を示すブロック図、図４は本発明の実施例におけるインターホンシステムで情報信号を送受信する動作を示すフローチャート、図５は本発明の実施例におけるインターホンシステムで子機を所定の箇所から離脱させたときの動作を示すフローチャートである。
【００１９】
図１において、１は親機２と子機３とから形成されている電子機器用情報信号伝送システムとしてのインターホンシステムであって、親機２が家屋内に配置されている。子機３は図２で示すように門柱４に螺子５によって取り付けられている。
【００２０】
親機２と子機３の詳しい構成は図３を参照して説明する。親機２は操作釦２１とマイクロホン、スピーカから成る親機側送受話部２２と親機側送信回路２３と親機側受信回路２４とアンテナ回路２５を有している。子機３は操作釦３１とマイクロホン、スピーカから成る子機側送受話部３２と子機側送信回路３３と子機側受信回路３４とアンテナ回路３５を有している。親機側送受話部２２からの音声入力は親機側送信回路２３によって情報信号に変換される。そして、親機側送信回路２３は予め設定した固有の登録コードを情報信号に付すようになっている。この登録コードを付した情報信号はデータ信号としてアンテナ回路２５を介して子機３に送信するようになっている。子機３においては、親機２で設定された登録コードと同一のコードが記憶された記憶回路３６を有する。そして、記憶回路３６に登録された登録コードと受信された登録コードの対応をとって、一致された場合に受診された情報信号を子機側受信回路３４で復調し、子機側送受話部２２に供給するように処理し制御するＣＰＵから成る処理回路３７を有する。子機側送受話部３２で得られた情報信号は、子機側送信回路３４からアンテナ回路３５を介して親機２に送信するようになっている。親機２においては、受信された情報信号が親機側受信回路２３で復調され親機側送受話回路２２に供給されるようになっている。
【００２１】
子機３側には、子機３が門柱４の設置箇所から離脱されたことを検知する離脱検知部３８が設けられている。処理回路３７は離脱検知部３８の離脱したことの検知出力によって、記憶回路３６への上書きによる新たな登録及び既に登録されている登録コードの読出しを禁止する状態にセットするものである。このセット状態は、一旦セット状態になると子機３を再び門柱４に取り付けても解除されないようになっている。これを可能にするには、予め登録された登録コードが受信されたことを条件とされている。離脱検知部３８は門柱４に取り付けた磁石３８１の磁力によって作動する構成になっている。
【００２２】
次に、本発明に実施例におけるインターホンシステム１の動作について説明する。子機３は門柱４の所定の箇所に螺子５で固定して設置する。そして、離脱検知部３８が磁石３８１の磁力により設置状態を検知している。この状態で、初期設定として登録コードを設定する必要がある。
【００２３】
初期設定は、使用者が自分特有の数字、アルファベット等から成る登録コードを親機送信回路２３に設定し、この登録コードを子機３に送信することによって行なわれる。子機３側においては、処理回路３７は記憶回路３６が未登録状態を条件として上記送信された登録コードを記憶することによって初期設定を完了する。
【００２４】
訪問者が子機３を操作して親機２により使用者と通話する場合について、図４を参照して説明する。訪問者は子機３の操作部３１を操作して親機２を呼び出し、子機側送受話回路３２から訪問の用件の音声を入力する。この用件の情報信号はステップＳ１で示すように、子機側送信回路３３、アンテナ回路３５を介して送信される。送信された情報信号はステップＳ２で示すように、呼び出された親機２で受信され復調された親機側送受話部２２により使用者に用件が伝えられる。これに対し、使用者は親機側送受話部２２から応答の音声を入力する。この応答の情報信号はステップＳ３で示すように、親機側送信回路２３、アンテナ回路２５を介して送信される。この送信に際しては予め設定された登録コードが付された送信データとされる。
【００２５】
この送信データはステップＳ４で示すように子機３で受信される。その後、ステップＳ5で示すように、登録コードが処理回路３７において記憶回路３６に登録されている登録コードとの照合がなされ、一致するか否かが判別される。一致すると判別されると処理回路３７はステップＳ６で示すように、受信された情報信号を子機側受信回路３４で復調して子機側送受話部３２に供給する。そして、ステップＳ７で示すように、子機側送受話部３２スピーカにおいて音声で出力され、使用者の応答の内容が音声で訪問者に伝えられる。
【００２６】
ステップＳ５において、登録コードの照合で一致が得られないときにはステップＳ８で示すように子機側受信部３４による送信データの復調が行なわれない。そのため、子機２は親機３からの応答を訪問者に伝える機能を達成しない。
【００２７】
もし、子機３が所定箇所から取り外された場合について、図5を参照して説明する。離脱検知部３８がステップＳ９で示すように子機２の設置箇所からの離脱を検知すると、ステップＳ１０で示すように処理回路３７が禁止状態にセットされる。その後に異なる箇所に設置して離脱検知部３８が作動されても禁止状態を解除しない。従って、ステップＳ１１で示すように処理回路３７は記憶回路３６の登録コードを読み出して処理する動作を行なわない。そのため、子機２は親機３からの応答を訪問者に伝える機能を達成しない。また、新たな登録コードで初期設定を実行しようとしてそれが禁止される。
【００２８】
この禁止状態の解除は、子機３を門柱４に設置して離脱検知部３８を磁石３８１の磁力で作動させた状態で、親機２から使用者が設定した登録コードを送信する。そして、処理回路３７が該登録コードを受け入れて禁止状態を解除し処理動作を行なうようにする。
【００２９】
上述した実施例によれば、インターホンシステムに１は親機２と子機３との間の情報信号の伝送が親機側送信回路２３、親機側受信回路２４、子機側送信回路３３、子機側受信回路３４等によって行なわれるが、親機２から子機３への情報信号の伝送に際しては登録コードの照合を行なっている。そして、照合の結果、一致したときに子機側受信回路３３を受信可能にしている。一方、子機３が設置箇所から離脱されると離脱検知部３８によってこれを検知する。そして、子機側３に設けた処理回路３７は記憶回路３６における照合のための登録コードの読み出し書き込みが不可能状態にセットされる。そのため、子機３は設置箇所から持ち去られ、第三者による異なる登録コードで照合をすることができないことは勿論、新たな登録コードを書き込むことも出来ない。従って、第三者による子機としての使用が不可能とる。
【００３０】
上述の第三者による使用不可能な状態は子機３側に記憶回路３６、処理回路３７を設けることにより達成するので、親機２は特に新規な構成を設けたり、特別な操作を行なう必要がない。そのため、コスト的に有利であり、取り扱いもめんどうでない。
【００３１】
尚、上述した本発明の実施例においては、親機2に対する子機３は１台だけであったが、子機３を複数台設置してもよい。この場合は、子機3に対応するＩＤコードを情報信号に付して該子機３と送受信すればよい。また、伝送は無線でなく有線であってもよい。
【００３２】
尚、また、上述した本発明の実施例にあっては、情報信号が音声であったが、本発明はこれに限定されることなく、映像信号、制御信号を適用してもよい。
【００３３】
尚、また、上述した本発明の実施例にあっては、インターホンシステムに適用した場合について説明したが、本発明はこれに限定されることなく、例えばリモートコントロール方式を適用して映像装置との間で相互に情報交換をする等の各種の電子機器に適用して電子機器用情報信号伝送システムを構成するものであってもよい。
【００３４】
尚、また、上述した本発明の実施例にあっては、離脱検知部３８は磁石３８１の磁力によって作動されるものであるが、本発明はこれに限定されることなく、設置箇所の壁に当接する稼動接点から構成される等種々のものが適用できる。
【００３５】
尚、また、上述した本発明の実施例にあっては、離脱検知部３８が離脱状態を検出すると処理回路３７が登録コードの読出し書き込みを禁止するようにしたが、本発明にあってはこれに限定されることなく、離脱状態を検出すると記憶回路３６に記憶された登録コードを消去したり、処理回路３７の処理のためのプログラムソフトを破壊する等の方法をとってもよい。
【図面の簡単な説明】
【００３６】
【図１】図１は本発明の実施例における電子機器用情報信号伝送システムをインターホンシステムに適用した場合を示す説明図である。
【図２】図２は図１における子機の設置状態を示す説明図である。
【図３】図３は図１におけるインターホンシステムの詳しい構成を示すブロック図である。
【図４】図４は本発明の実施例におけるインターホンシステムで情報信号を送受信する動作を示すである。
【図５】図５は本発明の実施例におけるインターホンシステムで子機を所定の箇所から離脱させたときの動作を示すフローチャートである。
【符号の説明】
【００３７】
１        インターホンシステム    
２        親機
３        子機
４        門柱
５        螺子
２１      操作部
２２      親機側送受話部
２３      親機側送信回路
２４      親機側受信回路
２５      アンテナ回路
３１      操作部
３２      子機側送受話部
３３      子機側送信回路
３４      子機側受信回路
３５      アンテナ回路
３６      記憶回路
３７      処理回路      
３８      離脱検出部
３８１    磁石
【図１】
2006245848.tif 000003
【図２】
2006245848.tif 000004
【図３】
2006245848.tif 000005
【図４】
2006245848.tif 000006
【図５】
2006245848.tif 000007